(57)【要約】【課題】  実際の頭皮臭により近く、頭皮臭のマスキングまたは抑制効果を評価するために用いられる頭皮臭モデル組成物を提供する。【解決手段】  （ａ）〜（ｃ）を含むことを特徴とする頭皮臭モデル組成物。（ａ）Ｃ１０および／またはＣ１１のγ−ラクトン（ｂ）保留剤（ｃ）低級脂肪酸【選択図】      なし【特許請求の範囲】
【請求項１】
（ａ）〜（ｃ）を含むことを特徴とする頭皮臭モデル組成物。
（ａ）Ｃ１０および／またはＣ１１のγ−ラクトン
（ｂ）保留剤
（ｃ）低級脂肪酸
【請求項２】
請求項１に記載の頭皮臭モデル組成物において、（ｄ）ジメチルジスルフィド、（ｅ）Ｃ９以下のγ−ラクトンから選択される１種または２種以上を含むことを特徴とする頭皮臭モデル組成物。
【請求項３】
請求項１または２に記載の頭皮臭モデル組成物において、（ｂ）保留剤が、グリセライド、高級脂肪酸から選択される１種または２種以上であることを特徴とする頭皮臭モデル組成物。
【請求項４】
請求項１〜３のいずれかに記載の頭皮臭モデル組成物を頭髪化粧料の香料選択試験に用いるためのキット。
【発明の詳細な説明】
【技術分野】
【０００１】
本発明は頭皮臭モデル組成物に関し、特に実際の頭皮臭により近く、頭皮臭のマスキングまたは抑制効果を評価するために用いられる頭皮臭モデル組成物に関する。
【背景技術】
【０００２】
ヒトの身体から発生される匂い（身体臭）には、体臭、口臭、腋臭、足臭、頭皮臭等が挙げられ、これらは一般に不快臭として周囲に印象付けられることから、身体臭をマスキングしたり、消臭・抑制する化粧料などが、開発されてきている。
このため、マスキングや消臭効果等を簡易に評価するための身体臭モデルが求められてきている。例えば、脂肪酸やアルデヒド等を含む擬似体臭組成物（特許文献１）等が知られている。
【０００３】
また、頭皮臭を抑制する化粧料などについても、近年注目されている。それらを評価するための頭皮臭モデル組成物としては、例えば、スクワレン、コレステロール又はその誘導体、炭素数２〜２４の脂肪酸を含む評価用モデル頭皮臭組成物（特許文献２）等が知られている。しかし、頭皮臭モデル組成物の頭皮臭らしさには、改善の余地があった。
【先行技術文献】
【特許文献】
【０００４】
【特許文献１】特開２００４−２６３１０２号公報
【特許文献２】特開２００１−２２０５９３号公報
【発明の概要】
【発明が解決しようとする課題】
【０００５】
本発明は前記従来技術の課題に鑑み行われたものであり、実際の頭皮臭により近い頭皮臭モデル組成物を提供することを目的とする。
【課題を解決するための手段】
【０００６】
本発明者らが前述の問題を解決すべく鋭意研究を行った結果、従来身体臭成分として知られていなかったＣ１０および／またはＣ１１のγ−ラクトンを配合することで、実際の頭皮の臭いにより近い頭皮臭モデル組成物を得ることができた。これを用いることで頭皮臭のマスキングまたは抑制効果を的確に評価でき、当該効果を有する物質を効率よくスクリーニングできることを見出し、本発明を完成するに至った。
【０００７】
すなわち、本発明にかかる頭皮臭モデル組成物は、（ａ）〜（ｃ）を含むことを特徴とする。
（ａ）Ｃ１０および／またはＣ１１のγ−ラクトン
（ｂ）保留剤
（ｃ）低級脂肪酸
前記頭皮臭モデル組成物において、さらに（ｄ）ジメチルジスルフィド、（ｅ）Ｃ９以下のγ−ラクトンから選択される１種または２種以上を含むことが好適である。
本発明にかかる評価・試験用キットは、頭皮臭モデル組成物を頭髪化粧料の香料選択試験に用いるためのキットである。
【発明の効果】
【０００８】
本発明によれば、より実際の頭皮臭に近く、頭皮臭のマスキングまたは抑制効果を的確に評価できる頭皮臭モデル組成物を提供する。
【発明を実施するための形態】
【０００９】
本発明にかかる頭皮臭モデル組成物は、（ａ）Ｃ１０および／またはＣ１１のγ−ラクトン、（ｂ）保留剤、（ｃ）低級脂肪酸を含む。
以下、各成分について詳述する。
【００１０】
（（ａ）Ｃ１０および／またはＣ１１のγ−ラクトン）
Ｃ１０、Ｃ１１のγ−ラクトンは、それぞれ、下記式（１）で示されるγ−デカラクトン、下記式（２）で示されるγ−ウンデカラクトンである。
これらの成分はいずれも、フルーティ系の香りの香料として知られているが、ヒト由来の体臭に含まれることは知られていない。
【００１１】
【化１】
2015151531.tif 000002
【００１２】
【化２】
2015151531.tif 000003
【００１３】
本発明における（ａ）成分の配合量は、頭皮臭モデル組成物全量に対し０．００１〜１質量％が好ましく、０．１質量％以下がより好ましい。０．００１質量％未満だと頭皮臭らしさを認識できない場合があり、１質量％を超えると、他成分の配合量が少なくなるため好ましくない。
【００１４】
（（ｂ）保留剤）
保留剤は、グリセライド、高級脂肪酸から選択される１種または２種以上であることが好ましい。保留剤を配合することで、頭皮臭の持続性に優れた頭皮臭モデル組成物を得ることができる。
【００１５】
グリセライドは、炭素数２〜２４の直鎖または分岐の飽和または不飽和脂肪酸のグリセライドが好ましい。例えば、オクタン酸、デカン酸、ウンデカン酸、ドデカン酸、トリデカン酸、テトラデカン酸、ミリスチン酸、ペンタデカン酸、パルミチン酸、パルミトレイン酸等の直鎖又は分岐の飽和又は不飽和脂肪酸のグリセライドが好ましい。モノ−、ジ−、トリ−脂肪酸グリセライドのいずれも含まれるが、トリグリセライドが好ましい。
【００１６】
本発明において、高級脂肪酸は、炭素数１４〜１８の脂肪酸のことである。高級脂肪酸としては、例えば、ミリスチン酸、ペンタデカン酸、パルミチン酸、パルミトレイン酸、ヘプタデカン酸、ステアリン酸、オレイン酸、リノレン酸等の直鎖または分岐の飽和または不飽和脂肪酸が挙げられる。
【００１７】
本発明における（ｂ）成分の配合量は、頭皮臭モデル組成物全量に対し５〜６０質量％が好ましく、１０〜５０質量％がより好ましい。５質量％未満だと頭皮臭の持続性に劣る場合があり、６０質量％を超えると、他成分の配合量が少なくなるため好ましくない。
【００１８】
（（ｃ）低級脂肪酸）
本発明において、低級脂肪酸は、炭素数２〜７の脂肪酸のことである。低級脂肪酸としては、例えば、酢酸、プロパン酸、酪酸、イソ酪酸、吉草酸、イソ吉草酸、２−メチルブタン酸、ヘキサン酸、ヘプタン酸等の直鎖または分岐の飽和または不飽和脂肪酸が挙げられる。
【００１９】
（ｃ）成分の配合量は、頭皮臭モデル組成物全量に対し０．００１〜１０質量％が好ましく、１質量％以下がより好ましい。０．００１質量％未満だと頭皮臭らしさを認識できない場合があり、１０質量％を超えると、他成分の配合量が少なくなるため好ましくない。
【００２０】
（（ｄ）ジメチルジスルフィド）
本発明の頭皮臭モデル組成物には、（ｄ）ジメチルジスルフィドを配合することが好ましい。
【００２１】
（ｄ）成分の配合量は、頭皮臭モデル組成物全量に対し０．００１〜１質量％が好ましく、０．１質量％以下がより好ましい。０．００１質量％未満だと頭皮臭らしさを認識できない場合があり、１質量％を超えると、他成分の配合量が少なくなるため好ましくない。
【００２２】
（（ｅ）Ｃ９以下のγ−ラクトン）
本発明の頭皮臭モデル組成物には、（ｅ）Ｃ９以下のγ−ラクトンを配合することが好ましい。Ｃ９以下のγ−ラクトンとしては、Ｃ８のγ−ラクトン（γ−オクタラクトン）、Ｃ９のγ−ラクトン（γ−ノナラクトン）等が挙げられる。
【００２３】
（ｅ）成分の配合量は、頭皮臭モデル組成物全量に対し０．００１〜１質量％が好ましく、０．１質量％以下がより好ましい。０．００１質量％未満だと頭皮臭らしさを認識できない場合があり、１質量％を超えると、他成分の配合量が少なくなるため好ましくない。
【００２４】
本発明の頭皮臭モデル組成物は、上記成分の他に、本発明の目的を損なわない範囲で他の成分、例えば溶剤、脂肪酸エステル、コレステロール誘導体、アルデヒド、スクワラン、スクワレン等を適宜配合することができる。
【００２５】
溶剤としては、例えばエタノール、ジエチルフタレート、トリエチルシトレート、３−メトキシ−３−メチルブタノール、ジプロピレングリコール、プロピレングリコール、流動パラフィン等が挙げられる。
溶剤の配合量は、特に限定されないが、１〜９５質量％が好ましく、１０〜８０質量％がより好ましい。
【００２６】
脂肪酸エステルとしては、例えばラウリル酸ヘキサニルエステル、ラウリル酸ヘプタニルエステル、ラウリルオクタニルエステル、ラウリルノナニルエステル、パルミチン酸ヘキサニルエステル、パルミチン酸ヘプタニルエステル、パルミチン酸オクタニルエステル、パルミチン酸ノナニルエステル、パルミトレイン酸ヘキサニルエステルなどが挙げられる。
【００２７】
コレステロール誘導体としては、例えばウンデカン酸コレステロールエステル、ドデカン酸コレステロールエステル、トリデカン酸コレステロールエステル、テトラデカン酸コレステロールエステル、ペンタデカン酸コレステロールエステル、パルミチン酸コレステロールエステル、パルミトレイン酸コレステロールエステル等の炭素数１１〜１６の直鎖又は分岐鎖の飽和又は不飽和脂肪酸のコレステロールエステル等が挙げられる。
【００２８】
アルデヒドとしては、例えばアセトアルデヒド、プロパナール、ブタナール、２−ブタナール、４−ヘプテナール、２，４−オクタジエナール、２−ノネナール、２，４−ノナジエナール、２，６−ノナジエナール、２，４−デカジエナール、ウンデカナール、２，４−ウンデカジエナール、ドデカナール、ベンズアルデヒド、バニリン、エチルバニリン、フルフラール、ヘリオトロピンジエチルアセタール、２，４−ノナジエナール、２−ノネナール、２，６−オクタジエナール、２，６，６−トリメチル−１−シクロヘキセン−１−アセトアルデヒド、４−メチル−２−ペンタナール、ｐ−メトキシシンナムアルデヒド、アセトアルデヒドエチル−３−ヘキセニルアセタール、２−ヒドロキシ−４−メチルベンズアルデヒド、２−メチル−２−オクテナール等が挙げられる。
【００２９】
本発明の頭皮臭モデル組成物は、実際の頭皮臭に近いことから、頭皮臭のマスキングまたは抑制効果を的確に評価でき、例えば頭皮臭に対してその臭いのマスキング作用または抑制作用を有する物質を効率よく簡便にスクリーニングすることができる。
したがって、本発明の頭皮臭モデル組成物は、臭いのマスキング剤、消臭剤、抑制剤、配合した頭髪化粧料等の開発（香料選択）に有用である。
【実施例】
【００３０】
本発明について、以下に実施例を挙げてさらに詳述するが、本発明はこれにより何ら限定されるものではない。配合量は特記しない限り、その成分が配合される系に対する質量％で示す。
【００３１】
本発明者らは、頭皮臭モデル組成物に、さまざまな炭素数のγ−ラクトンを添加してみた。そして、香りを下記評価方法（１）により評価した。結果を表１に示す。
【００３２】
評価（１）：頭皮臭らしさ
頭皮臭モデル組成物として、試験例１または試験例２（各５０μｌ）を含んだろ紙を、５００ｍｌの容器に入れ、開口部をアルミホイルで囲みこみ、約３０分経過後、１０名の専門パネルに嗅いでもらった。そして、頭皮臭らしさについて、下記基準に基づいて５段階官能評価（スコア）した。そのスコア平均値により評価した。
【００３３】
（スコア）
５点：明らかに頭皮臭であると感じる。
４点：頭皮臭として認知できる。
３点：頭皮臭として少し認知できる。
２点：頭皮臭とはやや認知し難い。
１点：頭皮臭とは感じられない。
【００３４】
【表１】
2015151531.tif 000004
【００３５】
表１によると、Ｃ１０およびＣ１１のγ−ラクトンを添加すると、添加しない場合に比べて、より頭皮臭らしさを実現できることがわかった。
したがって、本発明に用いる頭皮臭モデル組成物は、Ｃ１０および／またはＣ１１のγ−ラクトンを含むことが必要である。
【００３６】
本発明者らは、試験例１の頭皮臭モデル組成物を用いて、フルーティ系、シトラス系、ハーブ系、フローラル系、ムスク系の５種類の香料組成物のマスキング効果およびハーモナージュ効果を評価した。
結果は、フルーティ系、シトラス系、ハーブ系がいずれの効果も高く、ムスク系がいずれの効果も低かった。
なお、この結果は、実際の頭皮に各香料組成物を含む頭髪化粧料を塗布した際の傾向と同じであった。
【００３７】
次に、本発明者らは、頭部の臭気を採取し、成分分析した。臭気採取方法および成分分析方法は以下の通りである。結果を表２に示す。
【００３８】
（臭気採取・成分分析方法）
４０代の男性の被験者に、無賦香シャンプーおよびリンスで洗髪してもらい、１８時間後にＡおよびＢの方法で採取した。
Ａ：頭部の皮脂および頭皮臭を、頭皮に負担のない範囲で、ろ紙に直接採取した。そして、ＧＣ−ＭＳ分析法を用いて成分分析した。
Ｂ：頭部の一部分にガラス器具をあてがい、ヘッドスペースを３０分間SPME抽出し、上記Ａと同様にＧＣ−ＭＳ分析法により成分分析した。
【００３９】
【表２】
2015151531.tif 000005
【００４０】
これまで、Ｃ１０およびＣ１１のγ−ラクトンは、いずれもフルーティ系の香気として知られているが、頭皮臭成分としてのみならず、体臭成分として検出されたことはなかった。
しかし、表２によると、本発明の必須成分であるＣ１０およびＣ１１のγ−ラクトンは、頭部臭気として、成分分析方法Ａにより検出され、成分分析方法Ｂでも微量検出された。
【００４１】
次に、本発明者らは、頭皮臭特有成分の発生メカニズムの検討を行った。
体臭は、汗や皮脂等が皮膚常在菌（例えばブドウ球菌等）により分解されて発生する。このため、頭皮臭は、頭に多く存在するマラセチア菌（皮脂を栄養源とするフケ原因菌）により分解されて発生すると考えられる。
【００４２】
そこで、培地に人工皮脂および、ブドウ球菌またはマラセチア菌を培養した際の生成物を確認した。結果を表３に示す。
【００４３】
【表３】
2015151531.tif 000006
【００４４】
表３より、培地に人工皮脂およびマラセチア菌を培養した際、Ｃ８〜１１のγ−ラクトン、イソ吉草酸、ヘキサノールが生成することがわかる。
一方、培地に人工皮脂およびブドウ球菌を培養しても、Ｃ８〜１１のγ−ラクトン、イソ吉草酸、ヘキサノールは生成しなかった。
したがって、従来Ｃ１０及びＣ１１のγ―ラクトンは身体臭に含まれていることは知られていなかったが、人工皮脂のマラセチア菌による分解により発生し、頭皮臭の原因臭となることが確認できた。
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
（ａ）〜（ｃ）を含むことを特徴とする頭皮臭モデル組成物。
（ａ）Ｃ１０および／またはＣ１１のγ−ラクトン  ０．００１〜１質量％
（ｂ）グリセライド、炭素数１４〜１８の脂肪酸から選択される１種または２種以上の保留剤  ５〜６０質量％
（ｃ）炭素数２〜７の脂肪酸  ０．００１〜１０質量％
【請求項２】
請求項１に記載の頭皮臭モデル組成物において、（ｄ）ジメチルジスルフィド、（ｅ）Ｃ９以下のγ−ラクトンから選択される１種または２種以上を含むことを特徴とする頭皮臭モデル組成物。
【請求項３】
請求項２に記載の頭皮臭モデル組成物において、（ｄ）成分を０．００１〜１質量％、（ｅ）成分を０．００１〜１質量％含むことを特徴とする頭皮臭モデル組成物。
【請求項４】
請求項１〜３のいずれかに記載の頭皮臭モデル組成物を頭髪化粧料の香料選択試験に用いるためのキット。
【手続補正２】
【補正対象書類名】明細書
【補正対象項目名】０００７
【補正方法】変更
【補正の内容】
【０００７】
すなわち、本発明にかかる頭皮臭モデル組成物は、（ａ）〜（ｃ）を含むことを特徴とする。
（ａ）Ｃ１０および／またはＣ１１のγ−ラクトン  ０．００１〜１質量％
（ｂ）グリセライド、炭素数１４〜１８の脂肪酸から選択される１種または２種以上の保留剤  ５〜６０質量％
（ｃ）炭素数２〜７の脂肪酸  ０．００１〜１０質量％
前記頭皮臭モデル組成物において、さらに（ｄ）ジメチルジスルフィド、（ｅ）Ｃ９以下のγ−ラクトンから選択される１種または２種以上を含むことが好適である。
前記頭皮臭モデル組成物において、（ｄ）成分を０．００１〜１質量％、（ｅ）成分を０．００１〜１質量％含むことが好適である。
本発明にかかる評価・試験用キットは、頭皮臭モデル組成物を頭髪化粧料の香料選択試験に用いるためのキットである。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
（ａ）〜（ｅ）を含むことを特徴とする頭皮臭モデル組成物。
（ａ）Ｃ１０および／またはＣ１１のγ−ラクトン  ０．００１〜１質量％
（ｂ）グリセライド、炭素数１４〜１８の脂肪酸から選択される１種または２種以上の保留剤  ５〜６０質量％
（ｃ）炭素数２〜７の脂肪酸  ０．００１〜１０質量％
（ｄ）ジメチルジスルフィド  ０．００１〜１質量％
（ｅ）Ｃ９以下のγ−ラクトン  ０．００１〜１質量％
【請求項２】
請求項１に記載の頭皮臭モデル組成物を頭髪化粧料の香料選択試験に用いるためのキット。
【手続補正２】
【補正対象書類名】明細書
【補正対象項目名】０００７
【補正方法】変更
【補正の内容】
【０００７】
すなわち、本発明にかかる頭皮臭モデル組成物は、（ａ）〜（ｅ）を含むことを特徴とする。
（ａ）Ｃ１０および／またはＣ１１のγ−ラクトン  ０．００１〜１質量％
（ｂ）グリセライド、炭素数１４〜１８の脂肪酸から選択される１種または２種以上の保留剤  ５〜６０質量％
（ｃ）炭素数２〜７の脂肪酸  ０．００１〜１０質量％
（ｄ）ジメチルジスルフィド  ０．００１〜１質量％
（ｅ）Ｃ９以下のγ−ラクトン  ０．００１〜１質量％
本発明にかかる評価・試験用キットは、頭皮臭モデル組成物を頭髪化粧料の香料選択試験に用いるためのキットである。